(57)【要約】【課題】  平板型コンピュータ装置を保持でき、観覧角度と操作角度とを調整でき、信号コード挿着端と信号入力装置と出力装置とを整合集中でき、平板型コンピュータ装置に電気的に接続する目的を図れる、マルチメディア再生装置及びその保持フレームを提供する。【解決手段】  ベース２２と、載置板構造３０と、ベース２２に固定される第一の二軸方向調整構造５０と、載置板構造３０に固定される第二の二軸方向調整構造６０と、二つの端部を有し、その一端部が第一の二軸方向調整構造５０に連接されると共に、その他端部が第二の二軸方向調整構造６０に連接される連接ロッド７０とを備えており、第一と第二の二軸方向調整構造５０，６０を利用して載置板構造３０と連接ロッド７０とを旋回調整し、且つ連接ロッド７０とベース２２と載置板構造３０との挟み角度を調整することができるようにする。【選択図】      図４
0003101784.tif 000002
【実用新案登録請求の範囲】
【請求項１】
平板型コンピュータ装置を保持するための保持フレームを有し、ユーザーがその平板型コンピュータ装置を観覧と操作することに利するようにするマルチメディア再生装置及びその保持フレームにおいて、
ベースと、
載置板構造と、
前記ベースに固定される第一の二軸方向調整構造と、
前記載置板構造に固定される第二の二軸方向調整構造と、
二つの端部を有し、その一端部が前記第一の二軸方向調整構造に連接されると共に、その他端部が前記第二の二軸方向調整構造に連接される連接ロッドとを備えており、
前記第一と第二の二軸方向調整構造を利用して前記載置板構造と前記連接ロッドとを旋回調整し、且つ前記連接ロッドと前記ベースと前記載置板構造との挟み角度を調整することができるようにすることを特徴とするマルチメディア再生装置及びその保持フレーム。
【請求項２】
前記二軸方向調整構造同士には、本体と、第一のシャフト・ロッド・パートと、第二のシャフト・ロッド・パートと、を有し、その中、前記第一のシャフト・ロッド・パートの両端部が幅方向に沿って前記本体に枢着され、前記第二のシャフト・ロッド・パートの一端が垂直に前記本体に枢着され、前記第一の二軸方向調整構造の第一のシャフト・ロッド・パートが前記連接ロッドの一端に連接され、その第二のシャフト・ロッド・パートが前記ベースに連接され、前記第二の二軸方向調整構造の第一のシャフト・ロッド・パートが前記連接ロッドの他端に連接され、その第二のシャフト・ロッド・パートが前記載置板構造に固着連接されることを特徴とする請求項１に記載のマルチメディア再生装置及びその保持フレーム。
【請求項３】
前記載置板構造には、第一板体と第二板体と固定板とを有し、その中、前記第一板体と前記第二板体とが固着結合されて収納空間を形成し、前記第二板体には第一穿孔を有し、且つ前記固定板が前記収納空間内に設けられると共に、前記第二板体に固定接合されると共に、前記第一穿孔より伸び出し、前記第二の二軸方向調整構造に固定接合されることを特徴とする請求項１に記載のマルチメディア再生装置及びその保持フレーム。
【請求項４】
さらに係合構造を有し、且つ前記第一板体と前記第二板体とが固定接合されて収納空間を形成し、前記係合構造が前記収納空間内に収納されると共に、前記載置板構造より伸び出され、前記平板型コンピュータ装置を前記載置板構造に係合固定することを特徴とする請求項３に記載のマルチメディア再生装置及びその保持フレーム。
【請求項５】
さらに滑走コネクタと連動体を有し、それらが前記収納空間内に収納され、且つ前記第一板体には第四穿孔を有し、前記連動体が前記第一板体と前記第二板体に滑走可能に配置され、その一端が前記載置板構造より伸び出され、且つ両側にはそれぞれ滑走槽が形成され、また、滑走コネクタの両側には突出ピンを有し、それぞれ前記滑走槽に滑走可能に接合され、前記滑走コネクタを前記第四穿孔において滑走可能に設けると共に、伸縮可能に形成させることを特徴とする請求項３に記載のマルチメディア再生装置及びその保持フレーム。
【請求項６】
さらに光ディスク・ドライバーとスピーカとを有し、その中、前記光ディスク・ドライバーが前記ベースに嵌挿され、前記スピーカが前記ベースの側辺部に嵌挿され、前記光ディスク・ドライバーと前記スピーカとが前記滑走コネクタに電気的に接続されることを特徴とする請求項５に記載のマルチメディア再生装置及びその保持フレーム。
【考案の詳細な説明】
【技術分野】
【０００１】
本考案は、マルチメディア再生装置及びその保持フレームに関するものである。
【背景技術】
【０００２】
近来、マーケットにおいては、平板型コンピュータ装置が出品され、その優れた点は外形が軽薄で、表示パネルが平面に形成されることであり、当該平板型コンピュータ装置は現今のノートブック・タイプ・コンピュータ装置の延伸製品と見なすことができ、デジタル・ペンによって直接的に表示パネルに書写して入力する方式が、ユーザーに自然にコンピュータ装置を慣れさせることができ、ユーザーが書写方式によって入力を実行することができるほかに、従来のキーボードやマウス装置など情報や指令などを入力することもできる。
【０００３】
しかしながら、そのような平板型コンピュータ装置の場合では、依然として次のようなそれぞれの課題を備えている。
（１）前記平板型コンピュータ装置は板体のように薄く形成され、高度の携帯性を有するが、大部分の時間が家庭内でまたは事務室内で使用されるコンピュータ装置として使用する場合、その携帯性が余計なものとなり、また、室内で使用する場合では、それが表示パネルを見る角度を位置決め、調整しにくく、そのため、室内用のコンピュータ装置として使用する場合では、そのような平板型コンピュータ装置の使用性には欠点を有する。
（２）平板型コンピュータ装置の携帯性がかなり高度なため、軽薄がその特徴となり、そのため、マルチメディア信号の入力と出力が大体外部接続式の嵌挿装置に頼り、様々な周辺設備と信号コードを接続する場合に、容易に平板型コンピュータ装置の周りと回路との乱れを招きその美観性を劣化させることがある。
【考案の開示】
【考案が解決しようとする課題】
【０００４】
本考案は、平板型コンピュータ装置を保持でき、観覧角度と操作角度とを調整でき、信号コード挿着端と信号入力装置と出力装置とを整合集中でき、平板型コンピュータ装置に電気的に接続する目的を図れる、マルチメディア再生装置及びその保持フレームを提供することをその主要な解決しようとする課題としている。
【０００５】
また、本考案は、保持フレームにマルチメディア再生装置を結合することによって平板型コンピュータ装置に電気的に接続することを可能にすることによってその平板型コンピュータ装置を合せて使用するか、単独的に使用し、マルチメディア情報を再生することを特徴とするマルチメディア再生装置及びその保持フレームを提供することをその次の解決しようとする課題とする。
【課題を解決するための手段】
【０００６】
前記の課題を解決するために、本考案は、一種の保持フレームを提供し、それによって平板型コンピュータ装置を保持し、ユーザーの観覧とその平板型コンピュータ装置を操作させることに利するようにし、それには、ベースと、載置板構造と、第一の二軸方向調整構造と、第二の二軸方向調整構造と、連接ロッドと、を備え、その中、前記第一の二軸方向調整構造が前記ベースに固着され、前記第二の二軸方向調整構造が前記載置板構造に固着され、前記連接ロッドには二つの端部を有し、その一端部が前記第一の二軸方向調整構造に連接され、その他端部が前記第二の二軸方向調整構造に連接され、それらの第一と第二の二軸方向調整構造同士によって前記載置板構造と前記連接ロッドとを旋回調整し、且つ前記連接ロッドと前記ベースと前記載置板構造との挟み角度を調整するように考案する。
【０００７】
本考案の特徴と技術内容をさらに詳しく説明するために、以下に添付図面を参照しながら本考案の優れた実施の形態を詳細的で具体的に説明するが、それらの図面と説明に掲げた具体的な構造は単に本考案を説明するために挙げた実施例に過ぎず、本考案を制限するものではない。
【考案を実施するための最良の形態】
【０００８】
図１と図２に示すように、本考案は、一種のマルチメディア再生装置及びその保持フレームを提供し、それらがマルチメディア情報を再生できると共に、平板型コンピュータ装置１０をその上に保持でき、また、その保持フレームを旋回調整することによってその平板型コンピュータ装置の観覧角度を調整でき、ユーザーがその平板型コンピュータ装置１０を観覧及び操作することが従来より便利になることができ、また、信号コード挿着端と信号の入出力装置を前記マルチメディア再生装置及びその保持フレームに整合でき、それらを平板型コンピュータ装置１０に電気的に接続することに利することが出来る。
【０００９】
図３ないし図６に示すように、前記マルチメディア再生装置及びその保持フレームには、マルチメディア再生ユニットを備えるベース２０と、載置板構造３０と、コネクタ・セット４０と、第一の二軸方向調整構造５０と、第二の二軸方向調整構造６０と、連接ロッド７０とを有し、コネクタ・セット４０が載置板構造３０に配置され、平板型コンピュータ装置１０に挿着され、且つマルチメディア再生装置２１に電気的に接続され、第一の二軸方向調整構造５０が前記マルチメディア再生ユニットを備えるベース２０に固着され、第二の二軸方向調整構造６０が載置板構造３０に固着され、また、連接ロッド７０には二つの端部を有し、その一端が第一の二軸方向調整構造５０に固着され、また、その他端部が第二の二軸方向調整構造６０に固着される。
【００１０】
その中、前記マルチメディア再生ユニットを備えるベース２０には、マルチメディア再生装置２１と、ベース２２と、スピーカ２４とを備えており、また、マルチメディア再生装置２１とスピーカ２４がベース２２の側部に嵌合結合され、第一と第二の二軸方向調整構造５０，６０には、本体５１と、第一のシャフト・ロッド・パート５２と、第二のシャフト・ロッド・パート５３とを有し、その中、第一のシャフト・ロッド・パート５２の両端部が幅方向に沿って本体５１に枢着され、第二のシャフト・ロッド・パート５３の一端が垂直方向に沿って本体５１に枢着され、その中、第一の二軸方向調整構造５０の第一のシャフト・ロッド・パート５２が連接ロッド７０の一端に連接され、その第二のシャフト・ロッド・パート５３がベース２２に連接され、第二の二軸方向調整構造６０の第一のシャフト・ロッド・パート５２が連接ロッド７０の他の端部に連接され、第二のシャフト・ロッド・パート５３が載置板構造３０に固着され、本体５１としてＵ字形体に形成されると共に、二つのサイド・フィンを有するようなものを採用でき、第一のシャフト・ロッド・パート５２の両端部がそれぞれ前記二つのサイド・フィン同士に枢着されると共に、それらの二つのサイド・フィン同士より延出し、且つ連接ロッド７０の一端に固着され、また、第二のシャフト・ロッド・パート５３の一端が本体５１の中段部に枢着され、また、前記第二のシャフト・ロッド・パートにはさらに連接部５４を有し、それが第二のシャフト・ロッド・パート５３の他端部に設定され、また、第一の二軸方向調整構造５０の連接部５４がベース２２に固着され、第二の二軸方向調整構造６０の連接部５４が載置板構造３０に固着される。
【００１１】
また、載置板構造３０には第一板体３１と第二板体３２と固定板３３とを含み、その中、第一板体３１と第二板体３２とが結合して収納空間３４を形成し、第二板体３２には第一穿孔３５を有し、また、固定板３３が十字形に形成されると共に、収納空間３４内に配置され、その端部が第二板体３２に固着され、また、固定板３３が折り曲げて第一穿孔３５より伸び出し、第二の二軸方向調整構造６０の連接部５４を固着連接し、また、二つの第一調整構造ケーシング８０と二つの第二調整構造ケーシング８５とを有し、また、それらの第一調整構造ケーシング８０と第二調整構造ケーシング８５とが第一の二軸方向調整構造５０と第二の二軸方向調整構造６０と包むと共に、一種に固着接合され、他に、二つのカバー９０を有し、それらのカバー９０が当接し合うと共に、固定板３３に覆われ、且つ第二板体３２の外側に係止され、且つ複数の寄せ付け板９５を有し、それらが載置板構造３０の側辺部に配置されると共に、収納空間３４内に差し込まれ、且つ第二板体３２に固着接合され、他に、ある位置決めピン３９が第一板体３１の外側に突出され、平板型コンピュータ装置１０に対応して位置決め機能を提供する。
【００１２】
他に、さらに係合構造１００を有し、係合構造１００が収納空間３４内に設けられると共に、載置板構造３０より伸び出され、平板型コンピュータ装置１０を載置板構造３０に係合固着する用途に用いられ、係合構造１００にはフック・リンク１０１とスプリング１０５とを有し、フック・リンク１０１には二つの垂直延伸するフック１０２を有し、また、第一板体３１にはフック１０２に対応する第二穿孔３６と第三穿孔３７とを有し、スプリング１０５が収納空間３４内に固定され、フック・リンク１０１が収納空間３４内に滑走可能に配置され、且つその一端がスプリング１０５に当接され、また、フック・リンク１０１の他端が載置板構造３０より伸び出し、フック１０２がそれぞれ第二穿孔３６と第三穿孔３７より伸び出されて滑走可能に配置される。
【００１３】
コネクタ・セット４０には、滑走コネクタ４１と連動体４５とを有し、それらが収納空間３４内に収納され、また、第一板体３１には第四穿孔３８を有し、連動体４５が第一板体３１と第二板体３２に滑走可能に設けられ、且つその一端が載置板構造３０より延出し、且つその両側にそれぞれ滑走槽４６が形成され、また、滑走コネクタ４１の両側にそれぞれ突出ピン４２を有し、それぞれ滑走槽４６に滑走可能に接合され、且つ滑走コネクタ４１が第四穿孔３８において滑走可能に設けられると共に、伸縮可能になっており（図５参照）、そのため、連動体４５を上下引っ張り移動することによって滑走コネクタ４１の突出ピン４２を連動体４５の滑走槽４６内に滑走させることにより滑走コネクタ４１を穿孔３８において滑走させることができる。他に、少なくとも一つのＵＳＢコネクタ１１０と、ＰＳ／２コネクタと、Ｄタイプコネクタと、電源コネクタと（図示せず）を有し、それらがベース２２の側辺部に嵌挿され、且つコネクタ・セット４０に電気的に接続され、また、複数のコントロール・ボタン２３を有し、それらがベース２２に嵌挿され、且つマルチメディア再生装置２１と少なくとも一つのスピーカ２４に電気的に接続され、それがベース２２の側辺部に嵌挿され、且つマルチメディア再生装置２１に電気的に接続される。
【００１４】
連接ロッド７０には第一ロッド部材７１と第二ロッド部材７２とを有し、且つ第一の二軸方向調整構造５０の第一のシャフト・ロッド・パート５２とその第二の二軸方向調整構造６０の第一のシャフト・ロッド・パート５２が第一ロッド部材７１に固着接合され、また、第二ロッド部材７２が第一ロッド部材７１に固着接合され、このように、第一の二軸方向調整構造５０と第二の二軸方向調整構造６０とを利用して載置板構造３０と連接ロッド７０とを調整でき、また、連接ロッド７０と前記マルチメディア再生ユニットを備えるベース２０と載置板構造３０の挟み角度を調整できる。
【産業上の利用可能性】
【００１５】
前記に説明した通り、本考案の“マルチメディア再生装置及びその保持フレーム”による場合、平板型コンピュータ装置をその上に保持でき、観覧角度と操作角度とを調整可能にし、且つ信号接続端と信号の入出力装置とをその上に整合してもよく、それによって平板型コンピュータ装置に電気的に接続でき、且つ保持フレームによってマルチメディア再生装置を結合することにより前記平板型コンピュータ装置に電気的に接続すると共に、それを合せて使用でき、または、それを単独的に使用してそのマルチメディア再生装置によってマルチメディアを再生することもできる。
【００１６】
前記に説明した具体的な構造は、単に本考案のある実施可能な実施例に過ぎず、本考案の主張範囲を制限するものではなく、本考案の明細書と図面に開示される技術内容に基づいて実施される相同効果の改造などがすべて本考案の主張範囲内に納入されるべきことは言うまでもない。
【図面の簡単な説明】
【００１７】
【図１】本考案のマルチメディア再生装置及びその保持フレームが平板型コンピュータ装置と連接する場合を示す分解斜視図である。
【図２】本考案のマルチメディア再生装置及びその保持フレームが角度を調整する場合を示す説明図である。
【図３】本考案のマルチメディア再生装置及びその保持フレームを示す斜視図である。
【図４】本考案のマルチメディア再生装置及びその保持フレームを示す分解図である。
【図５】本考案のマルチメディア再生装置及びその保持フレームを示す一部断面図である。
【図６】本考案のマルチメディア再生装置及びその保持フレームを示す背面図である。
【符号の説明】
【００１８】
１０    平板型コンピュータ装置
２０    マルチメディア再生ユニットを有するベース
２１    マルチメディア再生装置
２２    ベース
２３    コントロール・ボタン
２４    スピーカ
３０    載置板構造
３１    第一板体
３２    第二板体
３３    固定板
３４    収納空間
３５    第一穿孔
３６    第二穿孔
３７    第三穿孔
３８    第四穿孔
３９    位置決めピン
４０    コネクタ・セット
４１    滑走コネクタ
４２    突出ピン
４５    連動体
４６    滑走槽
５０    第一の二軸方向調整構造
５１    本体
５２    第一のシャフト・ロッド・パート
５３    第二のシャフト・ロッド・パート
５４    連接部
６０    第二の二軸方向調整構造
７０    連接ロッド
７１    第一ロッド部材
７２    第二ロッド部材
８０    第一の調整構造ケーシング
８５    第二の調整構造ケーシング
９０    カバー
９５    寄せ付け板
１００  係合構造
１０１  フック・リンク
１０２  フック
１０５  スプリング
１１０  ＵＳＢコネクタ
【図１】
0003101784.tif 000003
【図２】
0003101784.tif 000004
【図３】
0003101784.tif 000005
【図４】
0003101784.tif 000006
【図５】
0003101784.tif 000007
【図６】
0003101784.tif 000008